(57)【要約】【課題】  中仕切りを備える表示媒体を１部材から構成することでコストを削減し、組み立ての手間を省くことを目的とする表示媒体を提供する。【解決手段】  同一平面内に、第１の表示部１と第２の表示部２とが、折り目線ａを介して左右に連設され、第１の表示部１は折り目線ａと対向する側に第１の係止片４を有し、第２の表示部２は折り目線ａと対向する側に第２の係止片３を有し、折り目線ａで折った第２の表示部２を湾曲させ第１の表示部１を囲む筒状態とし、第２の係止片３を折り目線ａ上に設けられた第２の係止孔である切り込みｂに差し込むことで第２の表示部２を筒状態で係止し、第１の係止片４を第２の表示部２に形成された第１の係止孔である切り込みｄに内側から差し込み、第１の表示部１で中仕切りを形成する構造を特徴とする。【選択図】図２
0003136793.tif 000002
【実用新案登録請求の範囲】
【請求項１】
同一平面内に、第１の表示部と第２の表示部とが、折り目線を介して左右に連設され、
前記第１の表示部の前記折り目線と対向する側に第１の係止片、前記第２の表示部の前記折り目線と対向する側に第２の係止片がそれぞれ連設され、
前記折り目線で折った第２の表示部を湾曲させ前記第１の表示部を囲む筒状態とし、前記第２の係止片を、前記折り目線上に設けられた第２の係止孔である切り込みに差し込むことで前記第２の表示部を筒状態で係止し、
前記第１の係止片を、前記第２の表示部に形成された第１の係止孔である切り込みに内側から差し込み、中仕切りを形成する構造を特徴とする表示媒体。
【請求項２】
前記第２の表示部に、筒状態にするために湾曲された前記第２の表示部から突出する突出面を形成する切り込みを設け、湾曲状態の前記第２の表示部上に平坦状態の前記突出面を形成する構造を特徴とする請求項１記載の表示媒体。
【請求項３】
前記突出面を形成する切り込みは、向かい合ったコの字型の切り込みであることを特徴とする請求項２記載の表示媒体。
【請求項４】
前記第１の係止片が前記第１の係止孔に差し込まれたときに、互いに挟み込み合うことで係止状態を補強する第１の切り込みが前記第１の係止片の端部から施され、
前記第２の係止片が前記第２の係止孔に差し込まれたときに、互いに挟み込み合うことで係止状態を補強する第２の切り込みが前記第２の係止片の端部から施され、
前記第１の切り込みが施されている端部と、前記第２の切り込みが施されている端部は、上下逆端部であることを特徴とする請求項１から３のいずれか１項記載の表示媒体。
【考案の詳細な説明】
【技術分野】
【０００１】
本考案は、表示媒体に関し、特に１部材から成る表示媒体に関する。
【背景技術】
【０００２】
従来から、紙等の平面的な部材を立体的に組み立て、看板や表示ケース、卓上表示装置等様々な用途に用いていた。例えば、立体形の製品を台紙上に簡単に固定することができると同時に該第四を折り曲げ成形することにより製品を立設可能に保持することもできる製品固定用台紙が提案されている（特許文献１参照）。また、小売店等の店頭で商品販売を促進する広告等を表示する表示媒体も知られている。背部から押出さなくても正面に突出する突出面を設けた曲出版や（特許文献２参照）、よりインパクトの強い広告表示具として、湾曲した複数の外面版を組み立て、ビスで係止した広告表示具（特許文献３参照）が提案されている。
【特許文献１】特開２００５−２１９７８７号公報
【特許文献２】特開２００２−２０７４３０号公報
【特許文献３】特開２００３−３０２９０２号公報
【考案の開示】
【考案が解決しようとする課題】
【０００３】
しかしながら上記のような技術、例えば上記背部から押出さなくても正面に突出する突出面を設けた曲出版は、背壁に接着して使用するため少なくとも２部から構成され、組み立ての際に接着剤等を利用する必要がある。また、上記広告表示具も複数の部材から構成する必要がある。
【０００４】
本考案はこのような状況に鑑みてなされたものであり、中仕切りを備える表示媒体を１部材から構成することでコストを削減し、組み立ての手間を省くことを目的とする。
【課題を解決するための手段】
【０００５】
本考案の第一の表示媒体は、同一平面内に、第１の表示部と第２の表示部とが、折り目線を介して左右に連設され、前記第１の表示部の前記折り目線と対向する側に第１の係止片、前記第２の表示部の前記折り目線と対向する側に第２の係止片がそれぞれ連設され、前記折り目線で折った第２の表示部を湾曲させ前記第１の表示部を囲む筒状態とし、前記第２の係止片を、前記折り目線上に設けられた第２の係止孔である切り込みに差し込むことで前記第２の表示部を筒状態で係止し、前記第１の係止片を、前記第２の表示部に形成された第１の係止孔である切り込みに内側から差し込み、中仕切りを形成する構造を特徴とする。
【０００６】
本考案の第２の表示媒体は、前記第２の表示部に、筒状態にするために湾曲された前記第２の表示部から突出する突出面を形成する切り込みを設け、湾曲状態の前記第２の表示部上に平坦状態の前記突出面を形成する構造を特徴とする。
【０００７】
本考案の第３の表示媒体は、前記突出面を形成する切り込みは、向かい合ったコの字型の切り込みであることを特徴とする。
【０００８】
本考案の第４の表示媒体は、前記第１の係止片が前記第１の係止孔に差し込まれたときに、互いに挟み込み合うことで係止状態を補強する第１の切り込みが前記第１の係止片の端部から施され、前記第２の係止片が前記第２の係止孔に差し込まれたときに、互いに挟み込み合うことで係止状態を補強する第２の切り込みが前記第２の係止片の端部から施され、前記第１の切り込みが施されている端部と、前記第２の切り込みが施されている端部は、上下逆端部であることを特徴とする。
【考案の効果】
【０００９】
本考案によれば、中仕切りを備える表示媒体を１部材から構成することでコストを削減し、組み立ての手間を省くことが出来る。
【考案を実施するための最良の形態】
【００１０】
以下に、本考案を図１から図５に示す実施形態に基づいて詳細に説明する。なお、以下に述べる実施の形態は、本考案の好適な実施の形態であるから、技術的に好ましい種々の限定が付されているが、本考案の範囲は、以下の説明において特に本考案を限定する旨の記載がない限り、これらの態様に限られるものではない。
【００１１】
図１は本考案の実施形態に係る表示媒体の展開図である。図２は本考案の実施形態に係る表示媒体の斜視図であり、（ａ）は第１の係止片４方向からの斜視図、（ｂ）は第２の係止片３方向からの斜視図である。図３は本考案の実施形態に係る表示媒体の上面図である。図４は本考案の実施形態に係る表示媒体の正面図である。図５は本考案の実施形態に係る表示媒体の使用例を説明するための図である。
【００１２】
図１に示すように、本実施形態に係る表示媒体は一部材から組み立てることが可能であり、組み立て道具や接着剤等を一切使わずに完成品を得ることが出来る。図１に示す同一平面内の概ねの区分としては、第１の表示部１、第２の表示部２、第２の係止片３、第１の係止片４に分けられる。
【００１３】
第１の表示部１は、一方の辺（図１では右側）に折り目線ａ（図１、図２、図５において点線で示す）を介して第２の表示部２が連設され、他方の辺（図１では左側）に第１の係止片４が連設されている。第１の係止片４は、組み立てた際に第１の係止孔である切り込みｄ（以下切り込みｄとも称す）に差し込まれ、第１の表示部１を係止する（図２（ａ）、図３参照）。なお、切り込み４'があることで、切り込みｄに差し込んだ場合に、互いに挟み込み合うことになり係止状態を補強する。
【００１４】
第２の表示部２は、一方の辺（図１では左側）に折り目線ａを介して第１の表示部１が連設され、他方の辺（図１では右側）に第２の係止片３が連設されている。第２の係止片３は、組み立てた際に折り目線ａ上にある第２の係止孔である切り込みｂ（以下切り込みｂとも称す）に差し込まれ、本体第２の表示部を係止する（図２（ｂ）、図３参照）。なお、切り込み３'があることで、切り込みｂに差し込んだ場合に、互いに挟み込み合うことになり係止状態を補強する。
【００１５】
上記説明した図１に示す展開図を組み立てたのが図２に示す表示媒体である。組み立てる際は、第２の表示部２を折り目線ａで折り、湾曲させ、第１の表示部１を囲んで筒状にし、折り目線ａ上の切り込みｂに第２の係止片３を差し込んで係止する。したがって、表示媒体の側面（第２の表示部２）は曲面となる。一方、第１の表示部１は第１の係止片を、第２の表示部２に設けられている切り込みｄに差し込み、係止する。これにより第１の表示部１は筒状となった第２の表示部２の中仕切りを形成することとなる。係止片３、係止片４による係止の様子は、図３の上面図に示すように、第１の係止片４と第２の係止片３が対向する位置で係止することとなる。
【００１６】
上記実施形態により、本実施形態に係る表示媒体は一部材から組み立てることが可能であり、組み立て道具や接着剤等を一切使わずに完成品を得ることが出来、廃棄も極めて容易である。これによりコストが削減され、また、組み立て容易となる。なお不使用時には展開した状態や折り目線ａで折った状態で置いておけば、表示媒体を数十個保存する場合でも保管スペースをあまりとらず置いておくことが出来る。
【００１７】
表示効果としては、第１の表示部１と第２の表示部２に広告等を表示することが可能で、一部材から組み立てられた本実施形態に係る表示媒体は、外観上は２部構成（第１の表示部１と第２の表示部２）の表示が可能である（図２、図４参照）。
【００１８】
また、切り込み３'、切り込み４'は、図１に示すように上下逆側の端部から切り込まれている。これにより、係止した際に、係止片３は上から、係止片４は下から支持することになり、表示媒体をより強く固定することが出来る。なお、本実施例は一例であるため、切り込み３'、切り込み４'が上下逆になっている場合も、切り込み３'、切り込み４'が施されていない場合も本発明の範囲内であることはもちろんである。
【００１９】
次に、突出面５について説明する。突出面５を形成しない状態であっても第１の表示部１や第２の表示部２に広告等を表示することが出来、効果を生じるが、さらに特定の表示（例えば２次元コード）を行う際に効果的となる突出面５について説明する。突出面５は、第２の表示部２に設けられた突出面を形成する切り込みｃ（以下切り込みｃとも称す）から形成され、突出面５の形状は定型ではなく自由にデザイン化されていることが望ましい。
【００２０】
ここで昨今は広告表示等の媒体に携帯端末装置等で読み取り可能な２次元コード（例えばＱＲコード）を表示することがある。２次元コードは手軽に自社のＷＥＢサイトへアクセス出来るためのＵＲＬ情報や、申込みメールを容易に送信してもらうためのメールアドレス情報等を含む。広告を見た者が自身の携帯端末等で、表示された２次元コードを読み取り、瞬時にアクセスして情報を取得することが出来る。ＵＲＬ情報等の打ち込みにかかる手間が省ければ、試してみる者も増え、２次元コードによる広告効果が上がる。従って２次元コードを広告媒体等に表示することが多いが、その多くは平面状の媒体に表示している。２次元コードが平面上に表示されていることで、携帯端末等で読み取る際のエラーが少なく、確実に読み取ることが出来るためである。
【００２１】
上述したように、本実施形態に係る表示媒体を組み立てたとき、第２の表示部２は湾曲し、その面はカーブしているが、デザイン的に第２の表示部２に２次元コードを表示したい場合等もある。このような場合を考慮し、本実施形態に係る突出面５が考え得る。すなわち図２に示すように、組み立てた際に第２の表示部２から突出面５の一部（切り込みｃの部分）が離れるため、切り込みｃから形成される突出面５は第２の表示部２上にありながら平面となる。図５は、平面状の突出面５にＱＲコードを表示した使用例を示す図である。
【００２２】
上記実施形態により、第２の表示部２上に平面部分を形成することにより、デザインに規制なくより広告主等の要望に合った表示媒体を提供することが出来る。なお、本実施例は一例であるため、突出面５が設けられていない場合も本発明の範囲内であることはもちろんである。
【００２３】
以上、本考案を好適な実施の形態に基づき具体的に説明したが、本考案は上記のものに限定されるものではなく、その要旨を逸脱しない範囲で種々変更可能であることは言うまでもない。
【図面の簡単な説明】
【００２４】
【図１】本考案の実施形態に係る表示媒体の展開図である。
【図２】本考案の実施形態に係る表示媒体の斜視図である。
【図３】本考案の実施形態に係る表示媒体の上面図である。
【図４】本考案の実施形態に係る表示媒体の正面図である。
【図５】本考案の実施形態に係る表示媒体の使用例を説明するための図である。
【符号の説明】
【００２５】
１    第１の表示部
２    第２の表示部
３    第２の係止片
４    第１の係止片
３'、４'    切り込み
５    突出面
ａ    折り目線
ｂ    第２の係止孔である切り込み
ｃ    突出面を形成する切り込み
ｄ    第１の係止孔である切り込み
ｅ    孔
【図１】
0003136793.tif 000003
【図２】
0003136793.tif 000004
【図３】
0003136793.tif 000005
【図４】
0003136793.tif 000006
【図５】
0003136793.tif 000007